(57)【要約】【課題】液晶表示装置の厚さを増加させることなく、狭額縁化を実現することを目的とする。【解決手段】本発明の液晶表示装置は、液晶表示パネルに貼り付けられた矩形の偏光板と、４辺を有する枠状のフレームと、前記偏光板の上面のいずれかの端部に偏った位置にのみ配置され、前記偏光板と前記液晶表示パネルを接着する第１接着層と、前記偏光板の下面のいずれかの端部に偏った位置にのみ配置され、前記フレームと前記偏光板を接着する第２接着層と、を有することを特徴とする。【選択図】図４
2014092739.tif 000002
【特許請求の範囲】
【請求項１】
液晶表示パネルに貼り付けられた矩形の偏光板と、
４辺を有する枠状のフレームと、
前記偏光板の上面のいずれかの端部に偏った位置にのみ配置され、前記偏光板と前記液晶表示パネルを接着する第１接着層と、
前記偏光板の下面のいずれかの端部に偏った位置にのみ配置され、前記フレームと前記偏光板を接着する第２接着層と、
を有することを特徴とする液晶表示装置。
【請求項２】
請求項１に記載の液晶表示装置において、
前記第２接着層が前記第１接着層と重なる位置に配置されていることを特徴とする液晶表示装置。
【請求項３】
請求項１または請求項２に記載の液晶表示装置において、
前記フレームの１辺の内部に発光素子が収納されることを特徴とする液晶表示装置。
【請求項４】
請求項１乃至３のいずれか一項に記載の液晶表示装置において、
前記第２接着層よりも低い粘着力を有する粘着層が、前記下面と前記フレームの間のうち、前記第２接着層が配置された領域の外側に配置されていることを特徴とする液晶表示装置。
【請求項５】
請求項１乃至４のいずれか一項に記載の液晶表示装置において、
前記第１接着層が貼られた領域の面積が、前記上面の面積の２％以上であり、前記第２接着層が貼られた領域の面積が、前記下面の面積の２％以上であることを特徴とする液晶表示装置。
【発明の詳細な説明】
【技術分野】
【０００１】
本発明は液晶表示装置に関する。
【背景技術】
【０００２】
コンピュータ等の情報通信端末やテレビ受像機の表示デバイスとして、液晶表示装置が広く用いられている。液晶表示装置は、液晶表示パネルの２つの基板の間に封じ込められた液晶分子の配向を変化させることにより、バックライトから液晶表示パネルに照射された光の透過度合いを変化させて画像を表示させている。近年、液晶表示装置は、特に携帯電話やスマートフォンに利用されており、その小型化、薄型化、狭額縁化が要求されている。
【０００３】
特許文献１には、バックライトと液晶表示パネルとを有する液晶表示装置として、粘着層により液晶表示パネルに貼り付けられた偏光板と、この偏光板を挟持する前面板及び背面板と、背面板を固定するフレームとを有する構成が開示されている。また、特許文献２には、一部の接着強度が弱めてある遮光両面テープによって、偏光板の下面の一部と面光源装置の上面が接着された液晶表示装置が開示されている。
【先行技術文献】
【特許文献】
【０００４】
【特許文献１】特開２０１１−１０７３９１号公報
【特許文献２】特開２０１１−１９１４４４号公報
【発明の概要】
【発明が解決しようとする課題】
【０００５】
従来の、偏光板とフレームとが直接接着された液晶表示装置の場合、液晶表示パネルに用いられる基板と、偏光板と、フレームの熱収縮率はそれぞれ異なる。このため、液晶表示装置に加わる温度が上昇することにより、偏光板が液晶表示パネルやフレームと異なる幅で収縮する。その結果、液晶表示パネルや偏光板やフレームに反りが生じるおそれや、フレームと偏光板とを接着する両面テープなどが剥がれるおそれがある。
【０００６】
また、特許文献１に記載の液晶表示装置は、フレームと液晶表示パネルとの間に背面板が配置される。そのため、背面板の厚みの分、液晶表示装置の厚さが増す。また、特許文献２に記載の液晶表示装置は、フレームよりも内側の領域に、遮光両面テープが配置される。このため、フレームより内側の領域が額縁を構成する。
【０００７】
本発明は、このような事情に鑑みてなされたものであって、液晶表示パネルと偏光板を接着する接着層と、偏光板とフレームを接着する接着層の剥がれを防ぐとともに、狭額縁化を実現することを目的とする。
【課題を解決するための手段】
【０００８】
（１）本発明の液晶表示装置は、液晶表示パネルに貼り付けられた矩形の偏光板と、４辺を有する枠状のフレームと、前記偏光板の上面のいずれかの端部に偏った位置にのみ配置され、前記偏光板と前記液晶表示パネルを接着する第１接着層と、前記偏光板の下面のいずれかの端部に偏った位置にのみ配置され、前記フレームと前記偏光板を接着する第２接着層と、を有することを特徴とする。
【０００９】
（２）本発明の液晶表示装置は、（１）において、前記第２接着層が前記第１接着層と重なる位置に配置されていてもよい。
【００１０】
（３）本発明の液晶表示装置は、（１）または（２）において、前記フレームの１辺の内部に発光素子が収納されていてもよい。
【００１１】
（４）本発明の液晶表示装置は、（１）乃至（３）のいずれか一項において、前記第２接着層よりも低い粘着力を有する粘着層が、前記下面と前記フレームの間のうち、前記第２接着層が配置された領域の外側に配置されていてもよい。
【００１２】
（５）本発明の液晶表示装置は、（１）乃至（４）のいずれか一項において、前記第１接着層が貼られた領域の面積が、前記上面の面積の２％以上であり、前記第２接着層が貼られた領域の面積が、前記下面の面積の２％以上であってもよい。
【発明の効果】
【００１３】
本発明における液晶表示装置は、偏光板と液晶表示パネルとを接着する第１接着層が偏光板の上面のいずれかの端部に偏った位置にのみ配置され、フレームと偏光板とを接着する第２接着層が偏光板の下面のいずれかの端部に偏った位置にのみ配置されているため、偏光板の第１接着層と第２接着層の貼られた領域以外は、偏光板が収縮しても液晶表示パネル及びフレームに対し動くことができる。このため、液晶表示パネルや偏光板やフレームへの応力の作用と反りの発生が抑えられる。また、第１接着層と第２接着層は、偏光板の上面または下面全体に配置されていないため、偏光板の収縮による剥がれを防ぐことができる。また、フレームの４辺のうち、第２接着層が配置された辺以外の他の辺は偏光板に固定されていないため、これら他の辺の幅を細くすることができる。以上により、本構成を有しない液晶表示装置と比べ、狭縁の液晶表示装置を実現することができる。
【図面の簡単な説明】
【００１４】
【図１】図１は本発明に係る液晶表示装置の概略平面図である。
【図２】図２は本発明の第１の実施形態に係る液晶表示装置を分解した概略斜視図である。
【図３】図３は第１の実施形態に係る液晶表示装置のＩＩＩ−ＩＩＩ線で示す概略断面図である。
【図４】図４は第１の実施形態に係る液晶表示装置のＩＶ−ＩＶ線で示す概略断面図である。
【図５】図５は本発明の第２の実施形態に係る液晶表示装置を分解した概略斜視図である。
【図６】図６は第２の実施形態に係る液晶表示装置を説明するための概略断面図である。
【図７】図７は第２の実施形態に係る液晶表示装置を説明するための概略断面図である。
【発明を実施するための形態】
【００１５】
以下、本発明の実施形態について図面に基づいて説明する。明細書中に出現する構成要素のうち同一機能を有するものには同じ符号を付し、その説明を省略する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１６】
はじめに、本発明の第１の実施形態に係る液晶表示装置１について説明する。本実施形態に係る液晶表示装置１は、矩形の液晶表示パネル１０と、液晶表示パネル１０に貼り付けられた矩形の上偏光板１６および下偏光板１８と、下偏光板１８と液晶表示パネル１０を接着する第１接着層２２と、４辺を有する枠状のフレーム２４と、フレーム２４と下偏光板１８を接着する第２接着層２３と、を有している。
【００１７】
図１は本発明に係る液晶表示装置１の概略平面図であり、図２は本発明の第１の実施形態に係る液晶表示装置１を分解した概略斜視図である。なお、説明の便宜上、図２においては、上偏光板１６、液晶表示パネル１０、集積回路チップ２０、下偏光板１８、第１接着層２２、第２接着層２３およびフレーム２４のみを示す。
【００１８】
液晶表示パネル１０は、例えば、矩形の基板１２、１４を有している。基板１２は、例えばカラーフィルタ基板であり、図示しないカラーフィルタが設けられている。基板１４は、例えばＴＦＴ（Thin Film Transistor）基板である。基板１２と基板１４の間には、図示しない液晶が封止されている。
【００１９】
基板１４は、例えば、その長手方向の長さが、基板１２の長手方向の長さよりも長く形成されている。このため、基板１４の一部は基板１２と重なり合わず、一方向に突出する。この基板１４のうち、基板１２と重ならずに突出した一部を部分１４ａとし、部分１４ａの上面を上面１４ａ１、下面を下面１４ａ２とする。この上面１４ａ１には、例えば集積回路チップ２０とフレキシブル配線基板２５が設けられている。
【００２０】
上偏光板１６は、基板１２の上側に貼り付けられており、下偏光板１８は、基板１４の下側に貼り付けられている。下偏光板１８は、部分１４ａの少なくとも一部を覆うように設けられている。
【００２１】
第１接着層２２は、下偏光板１８と液晶表示パネル１０の例えば基板１４を接着する層である。第１接着層２２としては、例えば両面テープなどを用いることができるが、下偏光板１８と液晶表示パネル１０を接着できるものであれば、液状の接着剤など、他のものであってもよい。
【００２２】
第１接着層２２は、下偏光板１８の上面１８ａのいずれかの端部に偏った位置にのみ配置されている。本実施形態における第１接着層２２は、例えば、部分１４ａの下面１４ａ２に重なる領域にのみ配置されている。また、第１接着層２２が貼られた領域の面積は、下偏光板１８の上面１８ａの面積の２％以上であることが好ましい。このような構成を有することにより、下偏光板１８と液晶表示パネル１０が容易に剥がれないだけの接着力を確保することができる。
【００２３】
第２接着層２３は、下偏光板１８とフレーム２４を接着する層である。第２接着層２３としては、第１接着層２２と同様に、例えば両面テープなどを用いることができる。
【００２４】
第２接着層２３は、下偏光板１８の下面１８ｂのいずれかの端部に偏った位置にのみ配置されている。本実施形態における第２接着層２３は、例えば、第１接着層２２と重なる位置、すなわち、部分１４ａの下面１４ａ２に重なる領域と、フレーム２４との間に配置されている。また、第２接着層２３が貼られた領域の面積は、下偏光板１８の下面１８ｂの面積の２％以上であることが好ましい。このような構成を有することにより、下偏光板１８とフレーム２４が容易に剥がれないだけの接着力を確保することができる。
【００２５】
また、第２接着層２３の配置された領域は、第１接着層２２の配置された領域に重なることが好ましい。このような構成を有することにより、液晶表示パネル１０が下偏光板１８に固定された領域と、フレーム２４が下偏光板１８に固定された領域が重なる。このため、下偏光板１８が熱により収縮した場合であっても、フレーム２４と下偏光板１８と液晶表示パネル１０の位置ずれを抑えることができる。
【００２６】
４辺を有する枠状のフレーム２４は、例えばモールド成形で形成された樹脂からなる。また、フレーム２４の１辺の内部には、図示しない発光素子収納部が設けられている。この発光素子収納部には、図示しない発光素子が収納される。この発光素子収納部が設けられている１辺２４ａの上面を、発光素子収納部上面２４ａ１とし、その他の３辺２４ｂの上面を上面２４ｂ１とする。
【００２７】
発光素子収納部上面２４ａ１は、第１接着層２２の配置された領域と重なることが好ましい。また、第２接着層２３は、発光素子収納部上面２４ａ１にのみ配置されていることが好ましい。このような構成を有することにより、フレーム２４と下偏光板１８と液晶表示パネル１０が、発光素子収納部上面２４ａ１に対応する領域のみで固定される。１辺２４ａ内には、発光素子収納部が設けられているため、発光素子収納部上面２４ａ１は、第２接着層２３を配置するための十分な面積を有する。よって、フレーム２４の他の３辺２４ｂと下偏光板１８を接着層の配置などにより固定する必要がなく、３辺２４ｂの幅を細くすることができる。
【００２８】
図３は第１の実施形態に係る液晶表示装置１のＩＩＩ−ＩＩＩ線で示す概略断面図であり、図４は第１の実施形態に係る液晶表示装置のＩＶ−ＩＶ線で示す概略断面図である。フレーム２４の内側には、光学シート２６と、導光板２８が収納されている。光学シート２６は、導光板２８の上側に配置されている。導光板２８は、平面視で液晶表示パネル１０と重なるように配置されている。この導光板２８により、図示しない点光源から入射した光は面光源に変換される。これらフレーム２４と光学シート２６と導光板２８とにより、バックライトが構成されている。
【００２９】
フレーム２４の下側には反射フィルム２９が設けられている。反射フィルム２９は、導光板２８の下側を覆うように配置されている。これにより、導光板２８に入射する光は反射フィルム２９で反射し、上側に出射される。
【００３０】
本実施形態における液晶表示装置１は、第２接着層２３が、例えば発光素子収納部上面２４ａ１上にのみ配置されている。このため、下偏光板１８の下面１８ｂは、フレーム２４の発光素子収納部上面２４ａ１にのみ固定され、３辺２４ｂの上面２４ｂ１との間は固定されない。
【００３１】
また、本実施形態における第１接着層２２は、下偏光板１８の上面１８ａのうち、第２接着層２３に重なる領域、すなわち、上面１８ａと部分１４ａの下面１４ａ２との間にのみ配置されている。このため、下偏光板１８の上面１８ａは、基板１４の部分１４ａの下面１４ａ２にのみ固定される。
【００３２】
以上のように、本発明に係る液晶表示装置１によれば、第１接着層２２が偏光板１８の上面１８ａのいずれかの端部に偏った位置にのみ配置され、第２接着層２３が偏光板１８の下面１８ｂのいずれかの端部に偏った位置にのみ配置されている。このため、偏光板１８の上面１８ａの、第１接着層２２が配置された領域以外は液晶表示パネル１０と固定されず、下面１８ｂの、第２接着層２３が配置された領域以外はフレーム２４に固定されない。
【００３３】
したがって、熱により偏光板１８が収縮しても、偏光板１８は、第１接着層２２と第２接着層２３の貼られた領域以外は、液晶表示パネル１０及びフレーム２４に対し動くことができる。このため、偏光板１８から液晶表示パネル１０に対する応力と、偏光板１８からフレーム２４に対する応力の作用が抑えられる。このため、液晶表示パネル１０と偏光板１８とフレーム２４の反りの発生が抑えられる。
【００３４】
また、第１接着層２２は偏光板１８の上面１８ａのいずれかの端部に偏った位置にのみ配置されており、上面１８ａ全体に配置されていない。このため偏光板１８の収縮による第１接着層２２の剥がれを防ぐことができる。同様に、第２接着層２３は偏光板１８の下面１８ｂのいずれかの端部に偏った位置にのみ配置されているため、偏光板１８の収縮による剥がれを防ぐことができる。したがって、本構成を有しない液晶表示装置と比べ、本実施形態における液晶表示装置１は、第１接着層２２と第２接着層２３の剥がれを防ぐことができる。
【００３５】
また、フレーム２４の４辺のうち、第２接着層２３が配置された、例えば１辺２４ａ以外の３辺２４ｂには接着層２３が配置されず、偏光板１８に固定されていない。このため、これら３辺２４ｂの幅を細くすることができる。以上により、本実施形態によれば、本構成を有しない液晶表示装置と比べ、狭縁の液晶表示装置１を実現することができる。
【００３６】
次いで、本発明の第２の実施形態に係る液晶表示装置１について図面に基づいて説明する。本実施形態においては、第２接着層２３よりも低い粘着力を有する粘着層３０が、偏光板１８の下面１８ｂとフレーム２４の間のうち、第２接着層２３が配置された領域の外側に配置されている点のみが、第１の実施形態と異なっている。よって、以下においては、粘着層３０と、粘着層３０に関連する構成について説明し、第１の実施形態における液晶表示装置１と同様の構成についてはその説明を省略する。
【００３７】
図５は本発明の第２の実施形態に係る液晶表示装置１を分解した概略斜視図である。図５に示すように、本実施形態における液晶表示装置１は、第１接着層２２が部分１４ａの下面１４ａ２と下偏光板１８の上面１８ａとの間に配置され、粘着層３０が、例えば、下偏光板１８の下面１８ｂとフレーム２４の他の３辺２４ｂの上面２４ｂ１との間に配置されている。
【００３８】
図６、図７は第２の実施形態に係る液晶表示装置１を説明するための概略断面図である。図６は、図３に対応する線で液晶表示装置１を切断した図であり、図７は、図４に対応する線で液晶表示装置１を切断した図である。本実施形態における液晶表示装置１における粘着層３０は、第２接着層２３よりも低い粘着力を有している。
【００３９】
粘着層３０としては、例えば両面テープなどを用いることができるが、下偏光板１８の下面１８ｂとフレーム２４の上面２４ｂ１の両面に粘着し、下偏光板１８の下面１８ｂが、粘着層３０の上面３０ａに接触したまま動くことの可能なものであれば、ゲル状のシートなどを用いてもよい。
【００４０】
この粘着層３０の上面３０ａの粘着力の強さは、例えば下偏光板１８が熱で収縮した場合など、下偏光板１８がフレーム２４の上面２４ｂ１に平行に動く場合に、下偏光板１８の下面１８ｂが粘着層３０の上面３０ａに接触したまま動くことが可能な程度であることが好ましい。具体的には例えば、第１接着層２２と第２接着層２３の粘着力を、６．０±５．０  ［Ｎ／２５ｍｍ］とし、粘着層３０の上面３０ａの粘着力を、１．０  ［Ｎ／２５ｍｍ］以下としてもよい。
【００４１】
ここで述べる「粘着力」とは、具体的には、ローラーで１９．６［Ｎ］の圧力をかけながら１往復されることによりガラス基板に貼り付けられた２５ｍｍ×１５０ｍｍ幅のテープなどの接着層を室温で２０分放置後、ガラス基板から９０°の角度で３００ｍｍ／ｍｉｎの速度で引き剥がす時に要する力をいう。
【００４２】
このような構成を有することにより、第２の実施形態における液晶表示装置１は、下偏光板１８が熱で収縮しても、下偏光板１８の下面１８ｂは粘着層３０の上面３０ａに接触したまま動き、粘着層３０の位置は変わらない。このため、粘着層３０の剥がれが防がれる。また、第２の実施形態における液晶表示装置１は、粘着層３０が配置されていることにより、第１の実施形態における効果に加え、偏光板１８および液晶表示パネル１０を、フレーム２４に強く保持することができる。
【００４３】
また、粘着層３０の下面３０ｂの粘着力は、下面１８ｂが粘着層３０の上面３０ａに接触したまま動く場合に、フレーム２４の上面２４ｂ１から粘着層３０が動かない程度の強さであることが好ましい。このような構成を有することにより、下偏光板１８の下面１８ｂが粘着層３０の上面３０ａに接触したまま動く場合であっても、粘着層３０の位置のずれを防ぐことができる。
【００４４】
また、下偏光板１８の上面１８ａと基板１４の下面１４ｂとの間のうち、第１接着層２２が設けられた領域の外側にも、下偏光板１８の上面１８ａが接触したまま動くことが可能な程度の粘着性を有する粘着層を配置してもよい。このような粘着層を下偏光板１８の上面１８ａと基板１４の下面１４ｂとの間に介在させることにより、このような構成を有さない液晶表示装置と比べ、液晶表示パネル１０を下偏光板１８に強く保持することができる。
【００４５】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【符号の説明】
【００４６】
１  液晶表示装置、  １０  液晶表示パネル、  １２，１４  基板、  １４ａ  部分、  １４ａ１  上面、  １４ａ２  下面、  １６  上偏光板、  １８  下偏光板、  １８ａ  上面、  １８ｂ  下面、  ２０  集積回路チップ、  ２２  第１接着層、  ２３  第２接着層、  ２４  フレーム、  ２４ａ  １辺、  ２４ｂ  ３辺、  ２４ｂ１  上面、  ２５  フレキシブル配線基板、  ２６  光学シート、  ２８  導光板、  ２９  反射フィルム、  ３０  粘着層、  ３０ａ  上面、  ３０ｂ  下面。
【図１】
2014092739.tif 000003
【図２】
2014092739.tif 000004
【図３】
2014092739.tif 000005
【図４】
2014092739.tif 000006
【図５】
2014092739.tif 000007
【図６】
2014092739.tif 000008
【図７】
2014092739.tif 000009